(57)【要約】【課題】Ｘ字型の交差脚を用いた台座において、ピンなどの枢着部材を使用せずに交差脚の回動を可能とし、さらに高さの調節が可能な台座を提供する。【解決手段】一対の略平板状の脚片を、その中央部に設けた複数の内溝部によって相互に嵌入して組み手状に構成し、Ｘ字型に交差する脚部とし、その両端から所定の位置において各々上方、下方に折り曲げられ、また脚片の中央部に設けた複数の内溝部に直交して形成された複数のＶ溝と、前記脚片の折り曲げ角部とは、互いに係合して前記Ｘ字型に交差する脚部を保持すると共に、該脚部の高さを複数の段階に調節可能とする。【選択図】        図１
2007275091.tif 000002
【特許請求の範囲】
【請求項１】
Ｘ字型に交差する脚部を有する台座において、一対の略平板状の脚片を、その中央部に設けた複数の内溝部によって相互に嵌入して組み手状に構成し、Ｘ字型に交差する組み手構造の脚部としたことを特徴とする台座。
【請求項２】
前記一対の脚片は、その両端から所定の位置において各々上方、下方に折り曲げられていることを特徴とする請求項１記載の台座。
【請求項３】
前記脚片の中央部に設けた複数の内溝部に直交して形成された複数のＶ溝と、前記脚片の折り曲げ角部とは、互いに係合して前記Ｘ字型に交差する脚部を保持すると共に、該脚部の高さを複数の段階に調節可能とすることを特徴とする請求項１又は２記載の台座。
【発明の詳細な説明】
【技術分野】
【０００１】
本発明は、台座に関し、とくに一枚の板材より加工され、Ｘ字型に交差する組み手構造の脚部を有する台座に関するものである。
【背景技術】
【０００２】
従来より、折畳みが可能な台座或いは椅子などが、各種提案されている。例えば、交点を枢着したＸ字状の脚の一対を、前記交点かた先端までの間に所要の間隔で複数段に配置した横軸で結合し、開脚したときの同一段の横軸間に布を渦巻状に掛け渡して座面を形成した折りたたみ椅子が挙げられる（特許文献１参照。）。また支軸を脚長の中央より外して設けたＸ型脚の上端部を、座の裏側に設けた枠体の凹溝に着脱自在に嵌入して成る、座高調節可能な折畳椅子も提案されている（特許文献２参照。）。
【０００３】
しかしながら上記の特許文献１、２は何れもＸ字状の脚部を枢着する枢着部材を必要とするものであり、脚部を折り畳む際に、脚の両端が突出し携帯性に難があった。また高さ調節に関しても支軸を中心として上下を変更するものであり、利用者の多用な要望を満足するのではなかった。
【０００４】
そこで起倒折畳みが自在になるように、Ｘ字状に組み合わせた一対の組合せ体を複数個連接した集成体よりなる正座椅子が提案されている（特許文献３参照。）。
【特許文献１】実開昭６０−１２８５５４号公報
【特許文献２】実開昭５５−１５３９５７号公報
【特許文献３】実願２００２−１８５９号公報
【発明の開示】
【発明が解決しようとする課題】
【０００５】
しかしながら、上記特許文献３に提案されている正座椅子は、Ｘ字状に組合せた一対の組合わせ体を複数個連設し、枢着部材を使用せずに折畳みを可能とし、携帯性を良くするものであるが、予め一対の組合せ体を別々に準備して、接着剤などによって組み立てる必要があった。しかも利用する際に高さの調節ができないという問題点があった。
【０００６】
本発明は、上記の問題点に鑑みなされたもので、一枚の板材より加工ができ、しかも枢着部材を必要とせずにＸ字状に交差する組み手構造の脚部を有する台座を提供する。
【課題を解決するための手段】
【０００７】
このため本発明の台座は、Ｘ字型に交差する脚部を有する台座において、一対の略平板状の脚片を、その中央部に設けた複数の内溝部によって相互に嵌入して組み手状に構成し、Ｘ字型に交差する組み手構造の脚部としたことを第一の特徴とする。
【０００８】
また、前記一対の脚片は、その両端から所定の位置において各々上方、下方に折り曲げられていることを第二の特徴とする。
【０００９】
そして、前記脚片の中央部に設けた複数の内溝部に直交して形成された複数のＶ溝と、前記脚片の折り曲げ角部とは、互いに係合して前記Ｘ字型に交差する脚部を保持すると共に、該脚部の高さを複数の段階に調節可能とすることを第三の特徴とする。
【発明の効果】
【００１０】
本発明による台座によれば、一対の略平板状の脚片を、その中央部に設けた複数の内溝部によって相互に嵌入して組み手状に構成し、Ｘ字型に交差する組み手構造の脚部とするため、Ｘ字型に枢着させる枢着部材を必要としないという効果を有する。
【００１１】
また、脚片の中央部に設けた複数の内溝部に直交して形成された複数のＶ溝と、前記脚片の折り曲げ角部とは、互いに係合するため、脚部の高さを複数の段階に調節できるという優れた効果を有する。
【００１２】
さらに、一対の長板脚片は、その両端から所定の位置において各々上方、下方に折り曲げられているため、前記長板脚片を折畳む際にその両端部が突出せず携帯性に優れるという効果を有する。
【発明を実施するための最良の形態】
【００１３】
以下、本発明の台座を実施例に基づいて説明するが、本発明が本実施例に限定されないことは言うまでもない。図１は本発明の台座の一実施例を示す斜視図、図２は本発明の台座を折畳んだ状態を示す側面図、図３は図２の平面図、図４、図５、図６は本発明の台座の高さ調節を示す説明側面図、図７は本発明の台座の作製工程を示す説明図である。
【実施例】
【００１４】
図１に示すように、本発明の台座１は、一対の脚片２、３と、脚片２の一端に蝶番７を介して取り付けられた敷板４と、から構成され、長板脚片２、３が各々Ｘ字状に交差して組み手構造の脚部を形成して敷板４を上方に載置する。そして図２に示すように脚片２の上端部を蝶番７方向へ傾倒させると、敷板４と脚片２、３とが一体に折畳まれ、携帯自在となる。尚、脚片２、３及び敷板４は何れも木材或いはプラスチックが使用される。
【００１５】
また図１又は図３に示すように、脚片２、３の中央部には後述する加工によって各々内溝５が形成されており、この内溝５を介して脚片２、３が回動自在に嵌入し、支持部材を必要とせずにＸ字状の脚部を構成する。さらに脚片２の内溝５近傍には内溝５と直角方向に所定の間隔にて３箇所Ｖ溝６が形成されており、図４乃至図６に示すように長板脚片３の角部８と係合し台座１の高さ調節が可能となる。尚、本実施例においては３箇所のＶ溝６が形成されているが、３箇所に限定されないことは無論であり、さらに角部８と係合する形状であればＶ溝である必要もない。
【００１６】
そして、脚片２、３は各々の両端から略１／３の位置にて上方、下方にそれぞれ折り曲げられて形成されており、上記の敷板４と脚片２、３とを一体に折畳む際に両端部が突出せず携帯性に優れる。
【００１７】
上記の構成の台座によれば、一対の脚片２、３がＸ字状に交差して組み手構造の脚部を形成し、敷板４を上方に載置して台座を構成し、ギターなどの演奏時の足乗せ台や椅子としての利用が可能であり、脚片２に設けられたＶ溝６と脚片３の角部８を使用して利用者の要望によって高さの調節も可能とし、しかも折畳む際に脚部の両端部が突出しないため、持ち運びがし易く携帯性に優れる。
【００１８】
次に、図７に従って本発明の台座の作製方法を説明する。図７ａは板材表面に仕上がり線の墨入れした状態、図７ｂは仕上がり線に沿って切り出しを行なう状態を示す説明図である。
【００１９】
図７ａは台座の脚部となる板材を示しており、本実施例においては縦２８０ｍｍ、横９０ｍｍ、厚さ５０ｍｍの木材を使用している。まず、板材の表面に予め脚片の仕上がり線の墨入れを行う。次に板材の内溝５の位置に相当するａ、ｂ、ｃ、ｄより錐によって６ｍｍ径の貫通孔を開ける。そして各孔に糸鋸を挿入して長手方向に平行に切れ目を入れ、側面のイ及びロ部分を切り取る。さらに側面視ハ及びニの部分を糸鋸によって切り出しを行い、図７ｂに示すように脚片２、３が作製される。
【００２０】
そして、脚片２の脚片３と交差する任意の位置に３箇所Ｖ字溝６を形成して、脚片３の角部８との係合を可能とし、さらに脚片２の端部には蝶番（図示せず）によって敷板（図示せず）を取付け本発明の台座が完成する。尚、板材は木材に限定されずプラスチックなど孔開け及び切り出しが可能で、脚片としての強度を持つものであればよい。
【００２１】
上記の工程によって台座が作製されるため、脚片２、３を同時に作製することが可能となり、しかも脚片同士をＸ字型に枢着させる枢着部材を必要としないため、台座を作製する工数が少なくてすむ。さらに脚片２、３の両端部は予め各々上方、下方に折り曲げた状態で加工されているため、脚片２、３を折畳む際に両端部が突出せず携帯性に優れる。
【００２２】
以上本発明による台座によれば、一枚の板材より加工ができ、しかも枢着部材を必要とせずにＸ字状に交差する組み手構造の脚部を有する台座を提供することができる。しかも、脚片の中央部に設けた複数の内溝部に直交して形成された複数のＶ溝と、前記脚片の折り曲げ角部の係合によって台座の高さ調節が可能となり、さらに折畳む際に脚部の両端部が突出せずに携帯性に優れる。
【図面の簡単な説明】
【００２３】
【図１】本発明の台座の一実施例を示す斜視図である。
【図２】本発明の台座を折畳んだ状態を示す側面図である。
【図３】図２の平面図である。
【図４】本発明の台座の高さ調節を示す説明側面図である。
【図５】本発明の台座の高さ調節を示す説明側面図である。
【図６】本発明の台座の高さ調節を示す説明側面図である。
【図７】本発明の台座の作製工程を示す説明図である。
【符号の説明】
【００２４】
１            台座
２、３        脚片
４            敷板
５            内溝
６            Ｖ溝
７            蝶番
８            角部
【図１】
2007275091.tif 000003
【図２】
2007275091.tif 000004
【図３】
2007275091.tif 000005
【図４】
2007275091.tif 000006
【図５】
2007275091.tif 000007
【図６】
2007275091.tif 000008
【図７】
2007275091.tif 000009